【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
基地局からモバイル局にメッセージを送信するためにページングチャンネル、クイックページングチャンネル、およびパイロットチャンネルが用いられ、前記クイックページングチャンネルが第１および第２のページインジケータを有する無線通信システムにおいて、
前記パイロットチャンネル内にあって前記第１のページインジケータと関連する第１のパイロット信号の強度が、第１の閾値より小さいかどうかを判定する過程と、
前記第１のパイロット信号の強度が、前記第１の閾値以下の第２の閾値より大きいかどうかを判定する過程と、
前記パイロットチャンネル内にあって前記第２のページインジケータと関連する第２のパイロット信号の強度が、前記第１の閾値より小さいかどうかを判定する過程と、
前記第２のパイロット信号の強度が前記第２の閾値より大きいかどうか判定する過程と、
前記第１のパイロット信号の強度が前記第１の閾値以上である場合、前記第１のページインジケータを処理し、前記第１のページインジケータがオンと検知されたかどうかを判定する過程と、
前記第１のパイロット信号の強度が前記第１の閾値より小さく、前記第１のパイロット信号の強度が前記第２の閾値より大きい場合、前記第１のページインジケータについて第１の軟判定を保存する過程と、
前記第１のパイロット信号の強度が前記第１の閾値より小さく、前記第２のパイロット信号の強度が前記第１の閾値以上の場合、前記第２のページインジケータを処理し、前記第２のインジケータがオンと検知されたかどうか判定する過程と、
前記第１のパイロット信号の強度が前記第１の閾値より小さく、前記第２のパイロット信号の強度が前記第２の閾値より大きい場合、前記第２のページインジケータについて第２の軟判定を保存し、前記第１および第２の軟判定を結合して結合判定を得、前記結合判定がオンであるかどうかを判定する過程と、を備える方法。
【請求項２】
通信状態にある基地局および少なくとも１つのモバイル局を備え、
前記基地局および前記少なくとも１つのモバイル局は、
ページングチャンネルと、
クイックページングチャンネルと、
前記クイックページングチャンネル内の第１および第２のページインジケータと、
前記少なくとも１つのモバイル局内に実装された１以上のプロセッサであって、前記第１のページインジケータのパイロット強度を第１および第２の閾値と比較し、前記第２のページインジケータのパイロット強度を前記第１および第２の閾値と比較し、前記第１および第２の閾値と比較した前記第１および第２のページインジケータの前記パイロット強度に基づいて、前記第１および第２のページインジケータが高信頼性をもって前記基地局から前記少なくとも１つのモバイル局に送信されているかどうかを判定するプロセッサと、
を備えることを特徴とする、無線通信システム。
【請求項３】
前記第１および第２のページインジケータは、時間において少なくとも２０ｍｓ互いに離れていることを特徴とする、請求項２に記載の無線通信システム。
【請求項４】
前記第１および第２のページインジケータは、コンピュータシミュレーションを用いて最適化されていることを特徴とする、請求項２に記載の無線通信システム。
【請求項５】
前記第１および第２のページインジケータは、ビットからなることを特徴とする、請求項２に記載の無線通信システム。
【請求項６】
前記１以上のプロセッサは、前記モバイル局に実装されていることを特徴とする、請求項２に記載の無線通信システム。
【請求項７】
通信状態にある前記基地局および前記少なくとも１つのモバイル局は、第１および第２のパイロット信号を搬送するパイロットチャンネルをさらに備え、前記第１のパイロット信号の受信エネルギーは前記第１のページインジケータのパイロット強度を表し、前記第２のパイロット信号の受信エネルギーは前記第２のページインジケータのパイロット強度を表すことを特徴とする、請求項２に記載の無線通信システム。
【請求項８】
基地局からモバイル局にメッセージを送信するためにページングチャンネル、クイックページングチャンネル、およびパイロットチャンネルが用いられ、前記クイックページングチャンネルが第１および第２のページインジケータを有する無線通信システムにおいて、
前記第１のページインジケータのパイロット強度を第１および第２の閾値と比較する過程と、
前記第２のページインジケータのパイロット強度を前記第１および第２の閾値と比較する過程と、
前記第１および第２の閾値と比較した前記第１および第２のページインジケータのパイロット強度に基づいて、前記第１および第２のページインジケータが高信頼性をもって前記基地局から前記モバイル局に送信されているかどうかを判定する過程と、
を備える方法。
【請求項９】
基地局からモバイル局にメッセージを送信するためにページングチャンネル、クイックページングチャンネル、およびパイロットチャンネルが用いられ、前記クイックページングチャンネルが第１および第２のページインジケータを有する無線通信システムにおいて、
前記パイロットチャンネル内にあって前記第１のページインジケータと関連する第１のパイロット信号の強度が、第１の閾値より小さいかどうかを判定するプロセッサ手段と、
前記第１のパイロット信号の強度が、前記第１の閾値以下の第２の閾値より大きいかどうかを判定するプロセッサ手段と、
前記パイロットチャンネル内にあって前記第２のページインジケータと関連する第２のパイロット信号の強度が、前記第１の閾値より小さいかどうかを判定するプロセッサ手段と、
前記第２のパイロット信号の強度が前記第２の閾値より大きいかどうか判定するプロセッサ手段と、
前記第１のパイロット信号の強度が前記第１の閾値以上である場合、前記第１のページインジケータを処理し、前記第１のページインジケータがオンと検知されたかどうかを判定するプロセッサ手段と、
前記第１のパイロット信号の強度が前記第１の閾値より小さく、前記第１のパイロット信号の強度が前記第１の閾値より大きい場合、前記第１のページインジケータについて第１の軟判定を保存するプロセッサ手段と、
前記第１のパイロット信号の強度が前記第１の閾値より小さく、前記第２のパイロット信号の強度が前記第１の閾値以上の場合、前記第２のページインジケータを処理し、前記第２のインジケータがオンと検知されたかどうか判定するプロセッサ手段と、
前記第１のパイロット信号の強度が前記第１の閾値より小さく、前記第２のパイロット信号の強度が前記第２の閾値より大きい場合、前記第２のページインジケータについて第２の軟判定を保存し、前記第１および第２の軟判定を結合して結合判定を得、前記結合判定がオンであるかどうかを判定するプロセッサ手段と、
を備えるモバイル局。
【請求項１０】
前記第１のパイロット信号の強度が前記第１の閾値以上であり、前記第１のページインジケータがオンと検知された場合、次のページングチャンネルスロットを復号するプロセッサ手段と、
前記第１のパイロット信号の強度が前記第１の閾値以上であり、前記第１のページインジケータがオフと検知された場合、前記モバイル局をスリープモードに切り換えるプロセッサ手段と、
前記第１のパイロット信号の強度が前記第１の閾値より小さく、前記第２のパイロット信号の強度が前記第１の閾値以上であり、前記第２のページインジケータがオンと検知された場合、前記次のページングチャンネルスロットを復号するプロセッサ手段と、
前記第１のパイロット信号の強度が前記第１の閾値より小さく、前記第２のパイロット信号の強度が前記第１の閾値以上であり、前記第２のページインジケータがオフと検知された場合、前記モバイル局をスリープモードに切り換えるプロセッサ手段と、
前記第１のパイロット信号の強度が前記第１の閾値より小さく、前記第２のパイロット信号の強度が前記第２の閾値以下の場合、前記次のページングチャンネルスロットを復号するプロセッサ手段と、
前記第１のパイロット信号の強度が前記第１の閾値より小さく、前記第２のパイロット信号の強度が前記第２の閾値より大きく、結合判定がオンの場合、前記次のページングチャンネルスロットを復号するプロセッサ手段と、
前記第１のパイロット信号の強度が前記第１の閾値より小さく、前記第２のパイロット信号の強度が前記第２の閾値より大きく、前記結合判定がオフの場合、前記モバイル局をスリープモードに切り換えるプロセッサ手段と、
をさらに備える、請求項９に記載のモバイル局。
【手続補正２】
【補正対象書類名】明細書
【補正対象項目名】００１９
【補正方法】変更
【補正の内容】
【００１９】
ページインジケータｂ１−２１０のパイロット強度がＴｈ＿ｈｉｇｈより小さい場合、次のステップ３１４では、ページインジケータｂ１−２１０のパイロット強度が第２の閾値Ｔｈ＿ｌｏｗ以下であるかどうかが判定される。ページインジケータｂ１−２１０のパイロット強度が第２の閾値Ｔｈ＿ｌｏｗより大きい場合、ステップ３１６においてページインジケータｂ１−２１０の「軟判定」が保存される。好ましくは、このような軟判定は整合フィルタ（図示せず）の出力で、数値として表される。軟判定はさらに、整合フィルタ軟統計（soft statistic）とも呼ばれる。この時点では、モバイル局１０４がスリープモードに入るのか次のページングチャンネルスロットを復号するのかについての硬判定はなされない。好ましくは、第１および第２の閾値Ｔｈ＿ｈｉｇｈおよびＴｈ＿ｌｏｗは、コンピュータシミュレーションを用いて最適化される。第１および第２の閾値Ｔｈ＿ｈｉｇｈおよびＴｈ＿ｌｏｗは、それぞれ基地局１０２からモバイル局１０４に受信された第１および第２のページインジケータが、信頼性が高いのか、適度に信頼性があるのか、信頼性が無いのか、を判定するために設定される。
【手続補正３】
【補正対象書類名】明細書
【補正対象項目名】００２４
【補正方法】変更
【補正の内容】
【００２４】
一般的に、ページインジケータｂ１−２１０およびｂ２−２１２のパイロット強度はそれぞれ、第１および第２の閾値と比較され、ページインジケータｂ１−２１０およびｂ２−２１２の信頼性のレベルを判定する。ページインジケータｂ１−２１０およびｂ２−２１２の信頼性のレベルに基づいて、モバイル局がスリープモードに入るか次のページングチャンネルスロットを復号するかについて判定するための異なる動作が選択される。